(57)【要約】【課題】  粉体供給装置として少量の範囲でかつ高い定量性を持たせることを課題とする。また、少量一定速度の粉体供給装置の自動連続運転を長時間行えるようにすることを課題とする。【解決手段】  スクリューとスクリューケーシングの間の空間を狭くすることおよびスクリューが制御された速度で回転することによって、少量一定速度の粉体供給を実現させるものである。また、重力または動力を利用してストック分の粉体を連続して供給する長時間自動連続運転を実現させるものである。【選択図】    図１
2006256816.tif 000002
【特許請求の範囲】
【請求項１】
モータなどの回転動力、回転数を変化させて回転動力を伝達する変速機、変速機の出力軸に結合されたスクリュー、スクリューのケーシングからなり、スクリューとスクリューケーシングの間の空間を狭くすることおよびスクリューが制御された速度で回転することによって、スクリューケーシングの粉体入口から入った粉体が移動してゆき、スクリューケーシングの粉体出口から粉体が少量一定速度で出て行くようにした粉体供給装置。
【請求項２】
請求項１に示すスクリューの製作方法であって、リング状の平座金を切断するまたはばね座金の、一つの座金の切断面を他の座金の切断面に結合させて次々につなげていくことによって、連続する螺旋を形成し、これに円柱型の心棒を差し込んで結合させることによってスクリューの形状とするスクリュー製作方法。
【請求項３】
請求項１に示す粉体供給装置であって、排水処理における凝集剤の少量一定速度の供給に用いられることを特徴とする粉体供給装置。
【請求項４】
請求項１に示す粉体供給装置を含む装置であって、高所から自然落下により粉体のストックを粉体供給装置に送り込む地上ストックホッパと粉体供給装置を組み合せることで、ストック分の粉体を連続して送り出せることを特徴とした粉体ストック・供給装置。
【請求項５】
請求項１に示す粉体供給装置を含む装置であって、地上から動力を用いて粉体のストックを粉体供給装置に送り込む地上ストックホッパおよび粉体リフタと粉体供給装置を組み合せることで、ストック分の粉体を連続して送り出せることを特徴とした粉体ストック・供給装置。
【発明の詳細な説明】
【技術分野】
【０００１】
本発明は、粉体を少量一定速度で供給する装置に関するものである。
【背景技術】
【０００２】
従来、微量の粉体と混合して高速の反応を伴う処理操作を連続式で可能とするなどのために用いる少量で定量性に優れた粉体供給装置はなかった。
【０００３】
従来、粉体供給装置として使用するスクリューは、鉄板をドーナツ型に打ち抜いて螺旋状につないで心棒に結合するか、円柱から削りだすかの方法が取られ、安価な材料を利用した簡易な製作方法はなかった。
【０００４】
従来、粉体凝集剤による排水処理において、凝集剤を添加するための少量で定量性の高い粉体供給装置はなかった。
【０００５】
従来、少量一定速度の粉体供給装置が長時間連続して運転するためのストックを持たせて自動的に粉体供給装置に送り出す粉体ストック・供給装置はなかった。
【発明の開示】
【発明が解決しようとする課題】
【０００６】
粉体供給装置として少量の範囲でかつ高い定量性を持たせることを課題とする。
【０００７】
粉体供給装置のスクリューを、鉄板からのドーナツ型打ち抜きなどの製作工程を削減して製作することを課題とする。
【０００８】
粉体凝集剤による排水処理において、凝集剤を少量で一定速度で添加することで凝集操作の連続性、高速性、安定性を保つことを課題とする。
【０００９】
少量一定速度の粉体供給装置の自動連続運転を長時間行えるようにすることを課題とする。
【課題を解決するための手段】
【００１０】
スクリューとスクリューケーシングの間の空間を狭くすることおよびスクリューが制御された速度で回転することによって、スクリューケーシングの粉体入口から入った粉体が移動してゆき、スクリューケーシングの粉体出口から粉体が少量一定速度で出て行くことで粉体を供給する。
【００１１】
リング状の平座金を切断するまたはばね座金の、一つの座金の切断面を他の座金の切断面に結合させて次々につなげていくことによって、連続する螺旋を形成し、これに円柱型の心棒を差し込んで結合させることによってスクリューの形状とする。
【００１２】
排水処理における凝集剤の少量一定速度の供給に上記の粉体供給装置を用いて、凝集操作の連続性、高速性、安定性を保つ。
【００１３】
高所から自然落下により粉体のストックを粉体供給装置に送り込む地上ストックホッパと粉体供給装置を組み合せることで、ストック分の粉体を連続して送り出して、粉体を自動的に長時間供給するものとする。
【００１４】
地上から動力を用いて粉体のストックを粉体供給装置に送り込む地上ストックホッパおよび粉体リフタと粉体供給装置を組み合せることで、ストック分の粉体を連続して送り出して、粉体を自動的に長時間供給するものとする。
【発明の効果】
【００１５】
本発明を利用することによって、流体に微量の粉体を混合させるときに少量で一定速度に供給することができるようになるため、大型の回分式混合装置としていたものを小型の連続式混合装置とすることができるため、設備コスト、装置の稼動に必要な電力などの運転コスト、稼働時間を大幅に削減することができるようになる。
【００１６】
請求項４に示す発明を利用することによって、長時間の自動運転が可能になるとともに装置の設置面積を抑え、またストックホッパから粉体供給装置の送り出しに重力を利用しているため省エネルギーとなる。
【００１７】
請求項５に示す発明を利用することによって、人手によるストックホッパへの粉体投入作業が地上で行えるようになり、高所まで運ぶ労力と高所作業の危険を回避することができる。
【発明を実施するための最良の形態】
【００１８】
図１において、スクリューの歯２２の幅を狭くし、スクリューの軸３とスクリューケーシング５の間の粉体移送空間２ｃを狭くすること、およびモータ６と減速機７を用いてスクリュー４が制御された速度で回転することによって、スクリューケーシング５の粉体入口５ａから入った粉体が移動してゆき、粉体出口５ｂから粉体が少量一定速度で出て行くことで粉体を供給する。
【００１９】
スクリュー４の製造方法については、リング状の平座金を切断するまたはばね座金１の、一つの座金１の切断面１ａを他の座金１の切断面１ａに結合させて次々につなげていくことによって、連続する螺旋構造物２を形成し、これにスクリュー軸３となる円柱型の心棒を差し込んで結合させることによってスクリュー４の形状とする。
【００２０】
ストックホッパとの組み合せについては、高所から自然落下により粉体のストックを粉体供給装置１０に送り込む高所ストックホッパ１１と粉体供給装置１０を組み合せることで、ストック分の粉体を連続して送り出して、粉体を自動的に長時間供給するものとする。
【実施例１】
【００２１】
地上から動力を用いて粉体のストックを粉体供給装置２０に送り込む地上ストックホッパ２１および粉体リフタ２２と粉体供給装置２０を組み合せることで、ストック分の粉体を連続して送り出して、粉体を自動的に長時間供給するものとする。
【産業上の利用可能性】
【００２２】
粉体試薬を用いる排水処理に適用できる。
【００２３】
溶媒に粉体の試薬を溶解する操作において、濃度を一定にするためにバッチ式の大きな溶解槽を設ける必要がなくなり、連続式のコンパクトな溶解槽とすることが可能となる。
【００２４】
粉体の反応促進剤の添加など、微量の粉体試薬を用いる化学合成に適用できる。
【００２５】
食品に添加する香料など、少量で均一に混ぜ込む粉体の添加に適用できる。
【図面の簡単な説明】
【００２６】
【図１】スクリューの製造方法を示す斜視図である。
【図２】重力式の粉体ストック・供給装置を示す立面図である。
【図３】地上投入式の粉体ストック・供給装置を示す立面図である。
【符号の説明】
【００２７】
１            座金
１ａ          切断面
２            螺旋構造物
２ａ          スクリューの歯
２ｂ          スクリューの歯の幅
２ｃ          粉体移送空間
３            スクリュー軸
４            スクリュー
５            スクリューケーシング
５ａ          粉体入口
５ｂ          粉体出口
６            モータ
７            減速機
１０、２０    粉体供給装置
１１          高所ストックホッパ
２１          地上ストックホッパ
２２          粉体リフタ
１００        粉体
【図１】
2006256816.tif 000003
【図２】
2006256816.tif 000004
【図３】
2006256816.tif 000005